(57)【要約】【課題】  拍動のゆらぎに基づいて、被測定者の健康状態を総合的に判断する。【解決手段】  心拍ゆらぎ検出装置における情報処理方法であって、被測定者の拍動を検出し、ローレンツプロットデータを算出する工程（Ｓ５０５、Ｓ５０７）と、所定時間内に算出された前記データのばらつきを算出する工程（Ｓ５０９）と、前記所定時間内に前記被測定者の体温を検出する工程（Ｓ５０５）と、前記算出されたばらつきと、前記検出された体温とに基づいて、前記被測定者の交感神経と副交感神経とのバランスと該バランスの継続状況とを判定する工程(Ｓ５１２）と、前記判定結果に基づいて、メッセージを表示する工程（Ｓ５１２）とを備える。【選択図】  図５Ａ
2008067858.tif 000002
【特許請求の範囲】
【請求項１】
被測定者の拍動を検出し、拍動間隔を抽出する抽出手段と、
前記抽出手段により抽出された拍動間隔に基づいて、時間領域解析を行う解析手段と、
前記被測定者の体温を検出する検出手段と、
前記解析手段による解析結果と、前記検出された体温とに基づいて、前記被測定者の交感神経と副交感神経とのバランスと、該バランスの継続状況とを判定する判定手段と、
前記判定手段における判定結果に基づいて、メッセージを表示する表示手段と
を備えることを特徴とする心拍ゆらぎ検出装置。
【請求項２】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記所定時間内に前記被測定者の体温を検出する検出手段と
前記算出されたばらつきと、前記検出された体温とに基づいて、前記被測定者の交感神経と副交感神経とのバランスと該バランスの継続状況とを判定する判定手段と、
前記判定手段における判定結果に基づいて、メッセージを表示する表示手段と
を備えることを特徴とする心拍ゆらぎ検出装置。
【請求項３】
前記判定手段は、前記算出されたばらつきが所定のばらつき閾値よりも大きく、かつ、前記検出された体温が所定の体温閾値よりも大きい場合、前記被測定者は、副交感神経が優位な状態が適度に継続していると判定することを特徴とする請求項２に記載の心拍ゆらぎ検出装置。
【請求項４】
前記判定手段は、前記算出されたばらつきが所定のばらつき閾値よりも大きく、かつ、前記検出された体温が所定の体温閾値よりも小さい場合、前記被測定者は、副交感神経が優位な状態が継続している時間が長いと判定することを特徴とする請求項２に記載の心拍ゆらぎ検出装置。
【請求項５】
前記判定手段は、前記算出されたばらつきが所定のばらつき閾値よりも小さく、かつ、前記検出された体温が所定の体温閾値よりも大きい場合、前記被測定者は、交感神経が優位な状態が適度に継続していると判定することを特徴とする請求項２に記載の心拍ゆらぎ検出装置。
【請求項６】
前記判定手段は、前記算出されたばらつきが所定のばらつき閾値よりも小さく、かつ、前記検出された体温が所定の体温閾値よりも小さい場合、前記被測定者は、交感神経が優位な状態が継続している時間が長いと判定することを特徴とする請求項２に記載の心拍ゆらぎ検出装置。
【請求項７】
前記表示手段は、更に、
前記座標データに基づいて前記２次元グラフ領域にプロットを表示するとともに、前記検出された体温を表示することを特徴とする請求項２に記載の心拍ゆらぎ検出装置。
【請求項８】
被測定者に関する情報を設定する設定手段と、
前記算出されたばらつきと前記検出された体温と前記被測定者に関する情報とを対応付けて記憶する記憶手段と、を備え、
前記表示手段は、更に、
前記被測定者に関する情報のうち、所定の情報に対応付けられた前記ばらつきおよび前記体温を抽出して時系列に配することで、トレンドグラフを表示することを特徴とする請求項２に記載の心拍ゆらぎ検出装置。
【請求項９】
前記ばらつき閾値は、前記記憶手段に記憶された前記算出されたばらつきに基づいて、平均値を算出することにより決定されることを特徴とする請求項８に記載の心拍ゆらぎ検出装置。
【請求項１０】
被測定者の拍動を検出し、拍動間隔を抽出する抽出工程と、
前記抽出工程により抽出された拍動間隔に基づいて、時間領域解析を行う解析工程と、
前記被測定者の体温を検出する検出工程と、
前記解析工程による解析結果と、前記検出された体温とに基づいて、前記被測定者の交感神経と副交感神経とのバランスと、該バランスの継続状況とを判定する判定工程と、
前記判定工程における判定結果に基づいて、メッセージを表示する表示工程と
を備えることを特徴とする心拍ゆらぎ検出装置における情報処理方法。
【請求項１１】
被測定者の拍動を検出し、拍動間隔を抽出する抽出工程と、
前記抽出されたｎ拍目の拍動間隔とｎ＋１拍目の拍動間隔とを、２次元グラフ領域の縦軸または横軸として順次プロットする場合の各座標データを算出する座標算出工程と、
所定時間内に算出された前記座標データのばらつきを算出するばらつき算出工程と、
前記所定時間内に前記被測定者の体温を検出する検出工程と
前記算出されたばらつきと、前記検出された体温とに基づいて、前記被測定者の交感神経と副交感神経とのバランスと該バランスの継続状況とを判定する判定工程と、
前記判定工程における判定結果に基づいて、メッセージを表示する表示工程と
を備えることを特徴とする情報処理方法。
【請求項１２】
請求項１０または１１に記載の情報処理方法をコンピュータによって実現させるための制御プログラム。
【発明の詳細な説明】
【技術分野】
【０００１】
本発明は、心電波形や脈拍等の生体信号に基づいて拍動のゆらぎを可視化する技術に関するものである。
【背景技術】
【０００２】
従来より、交感神経と副交感神経の亢進状態の評価方法として、ローレンツプロットが知られている。一般に交感神経と副交感神経とはバランスがとれていることが重要であり、交感神経と副交感神経とのバランスが乱れると、拍動（心拍）のゆらぎに影響を及ぼす。
【０００３】
ローレンツプロットとは、この拍動のゆらぎを、心電波形や脈拍等の生体信号に基づいて可視化したものであり、広く知られている。
【０００４】
図２２、図２３は、心電波形に基づいてローレンツプロットを生成する方法を示した図である。図２２の２２０１に示すような心電波形が収集されると、まず、Ｒ波の位置が同定され、Ｒ−Ｒ間隔が算出される。Ｒ波とは心電波形のピーク部分をいい、Ｒ−Ｒ間隔とはＲ波のｎ拍目（ｎは任意の整数）とｎ＋１拍目の心拍間隔をいう。図２２の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３と算出される。
【０００５】
そして、当該算出されたＲ−Ｒ間隔に基づいて、図２３に示す２次元グラフ領域に、Ｔ２１を横軸に、Ｔ３２を縦軸にプロットする。次に、Ｔ３２を横軸に、Ｔ４３を縦軸にプロットする。このような処理を、連続するＲ−Ｒ間隔に対して順次行うことで、ローレンツプロットが生成される。図２４は、生成されたローレンツプロットの一例を示す図であり、（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【０００６】
このような方法により生成されるローレンツプロットを応用した技術として、本願出願人は、これまでいくつかの提案を行っている。例えば、下記特許文献１では、当該ローレンツプロットを心電波形の測定と並行してリアルタイムに表示させることで、被測定者がその場で拍動のゆらぎを把握できるリアルタイム拍動モニタを提案している。
【０００７】
また、下記特許文献２では、表示された被測定者のローレンツプロットに対して、被測定者の特徴情報（年齢と性別）に対応する平均的なローレンツプロットの分布領域を重畳して表示させることで、被測定者が拍動のゆらぎを対比して判断できるようにした心拍間隔表示装置を提案している。
【特許文献１】特開２００１−２１２０９５号公報
【特許文献２】特開２００１−２１２０８９号公報
【発明の開示】
【発明が解決しようとする課題】
【０００８】
しかしながら、拍動のゆらぎを指標とするだけでは、被測定者の健康状態を判断するには十分とはいえない。例えば、適度に拍動のゆらぎがあり、身体がリラックス状態にあったとしても、その状態が長く継続しすぎると、生命活動自体が低下し健康を害する恐れがある。逆に、拍動のゆらぎが少なく身体が緊張状態にあったとしても、短時間であれば被測定者の健康にとってはかえってよい場合もある。このように、被測定者の拍動のゆらぎだけでなく、ゆらぎ状態の継続状況を考慮しなければ、被測定者の健康状態を総合的に判断することは難しい。
【０００９】
本発明は、上記課題に鑑みてなされたものであり、検出された拍動に基づいて得られた時間領域解析結果と入力された主観データとを併せて表示する装置であって、被測定者の健康状態を総合的に判断することができる装置を提供することを目的とする。
【課題を解決するための手段】
【００１０】
上記の目的を達成するために本発明に係る心拍ゆらぎ検出装置は以下のような構成を備える。即ち、
被測定者の拍動を検出し、拍動間隔を抽出する抽出手段と、
前記抽出手段により抽出された拍動間隔に基づいて、時間領域解析を行う解析手段と、
前記被測定者の体温を検出する検出手段と、
前記解析手段による解析結果と、前記検出された体温とに基づいて、前記被測定者の交感神経と副交感神経とのバランスと、該バランスの継続状況とを判定する判定手段と、
前記判定手段における判定結果に基づいて、メッセージを表示する表示手段とを備える。
【００１１】
また、本発明に係る他の心拍ゆらぎ検出装置は以下のような構成を備える。
【００１２】
被測定者の拍動を検出し、拍動間隔を抽出する抽出手段と、
前記抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記座標データのばらつきを算出するばらつき算出手段と、
前記所定時間内に前記被測定者の体温を検出する検出手段と
前記算出されたばらつきと、前記検出された体温とに基づいて、前記被測定者の交感神経と副交感神経とのバランスと該バランスの継続状況とを判定する判定手段と、
前記判定手段における判定結果に基づいて、メッセージを表示する表示手段とを備える。
【発明の効果】
【００１３】
本発明によれば、検出された拍動に基づいて得られた時間領域解析結果と入力された主観データとを併せて表示する装置において、被測定者の健康状態を総合的に判断することができるようになる。
【発明を実施するための最良の形態】
【００１４】
以下、必要に応じて添付図面を参照しながら本発明の各実施形態を詳細に説明する。なお、以下の各実施形態で説明する心拍ゆらぎ検出装置は、時間領域解析の幾何学的図形解析法の１つであるローレンツプロットを表示する装置として説明するが、本発明は以下に記載の実施形態に限定されるものではない。例えば、他の心拍変動指標として、時間領域解析の幾何学的図形解析法の１つであるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）、ＣＶＲＲ等を表示する装置にも適用可能である。
【００１５】
［第１の実施形態］
１．装置の外観構成
図１は、本発明の第１の実施形態にかかる心拍ゆらぎ検出装置の外観構成を示す図である。同図において、１０１はハウジングであり、内部の電子機器を覆うとともに、装置の外形を形成する。ハウジング１０１の一部分（１０２に示す部分）には、拍動を検出するための電極が埋め込まれており、被測定者が１０２に示す部分に身体の適所としての手のひらを当てることにより、被測定者の拍動を検出することができる。
【００１６】
１０３は表示／操作部であり、検出された拍動に基づいて時間領域解析法の幾何学的図形解析法の１つで得られるデータの１つとしてのローレンツプロットを表示すると共に、被測定者による各種操作を受け付ける。
【００１７】
なお、図１には示されていないが、本実施形態にかかる心拍ゆらぎ検出装置には、被測定者の体温を検出する体温計が接続できるように構成されているものとする。
【００１８】
２．装置の機能構成
図２は、本発明の第１の実施形態にかかる心拍ゆらぎ検出装置の機能構成を示す図である。同図において、２０１はクロック部であり、クロック信号を発振し、ＣＰＵ２０２に供給する。２０２はＣＰＵであり、クロック部２０１より発振されたクロック信号に基づいて動作する。２０３はＲＡＭであり、ＣＰＵ２０２において処理されるプログラムのワークエリアとして機能するとともに、プログラム処理時にデータ等を一時的に記憶する記憶手段としても機能する。２０４はＲＯＭであり、ＣＰＵ２０２にて処理されるプログラムが格納されている。
【００１９】
２０５は表示／操作部であり、ＣＰＵ２０２において処理された処理結果を表示するとともに、被測定者からの指示入力を受け付ける。２０６は電極であり、被測定者の拍動を検出し、電気信号を出力する。２０７はアンプであり、電極２０６より出力された電気信号を増幅するとともに、デジタル信号（以下、心拍測定データ）に変換する。
【００２０】
２０８は体温計（体温測定手段）であり、被測定者の体温を検出し、電気信号を出力する。２０９はアンプであり、体温計２０８より出力された電気信号を増幅するとともに、デジタル信号（以下、体温測定データ）に変換する。
【００２１】
２１０はデータ記録部であり、ＣＰＵ２０２において心拍測定データを処理することにより得られた算出データならびに体温測定データ、および表示／操作部２０５を介して被測定者が設定した被測定者に関する情報（設定データ：例えば、年齢、性別）等を記録する。
【００２２】
ＲＯＭ２０４に格納されたプログラムにより実現される機能を２２１から２２８に示す。２２１は心拍検出処理部であり、アンプ２０７より出力された心拍測定データを受信する。２２２は心拍間隔検出処理部であり、受信した心拍測定データに基づいて、心拍波形のＲ波を同定したのち、各Ｒ−Ｒ間隔を算出し、ローレンツプロットデータ（２次元グラフ領域にローレンツプロットを表示するための座標データ）を生成する。また、所定時間、例えば１分間あたりの心拍数を算出する。更に、測定が完了した際には、ゆらぎ度および目標達成度を算出する。なお、ゆらぎ度とは、２次元グラフ領域の分布領域の大きさ（本実施形態にかかる心拍ゆらぎ検出装置にあっては、ローレンツプロットデータのばらつき）のことをいうものとする。また、目標達成度とは、被測定者に関する情報（年齢）に対応する平均的なローレンツプロットの分布領域の大きさに対する、生成されたローレンツプロットの分布領域の大きさの割合をいう。
【００２３】
２２３は表示処理部であり、測定開始時においては、被測定者により予め入力された設定データを表示／操作部２０５上に表示する。また、測定中は、心拍間隔検出処理部２２２において生成されたローレンツプロットデータに基づいて、表示／操作部２０５上にローレンツプロットを表示するとともに、心拍波形のＲ波のタイミングに合わせて、文字、記号、シンボルマーク等で表示される心拍検出マーク（後述）を点滅させ、更に心拍数を表示する。また、測定完了時には、算出されたゆらぎ度および目標達成度を表示する。また、後述する体温入力処理部において受信された体温測定データを表示する。更に、過去のローレンツプロットデータを読み出し、表示／操作部２０５上にローレンツプロットを表示すると共に、後述するトレンド処理部により抽出されたゆらぎ度をトレンドグラフとして表示する。
【００２４】
２２４はデータ記録処理部であり、算出されたローレンツプロットデータ、ゆらぎ度、目標達成度、および入力された設定データのほか、体温測定データ等を、データ記録部２１０に記録する。また、過去に記録されたローレンツプロットデータ、ゆらぎ度、目標達成度、および入力された設定データ、体温測定データ等をデータ記録部２１０より削除する。
【００２５】
２２５はトレンド処理部であり、データ記録部２１０に記録された過去のゆらぎ度および体温測定データを抽出し時系列に配列する。なお、特定の設定データと対応づけられたゆらぎ度及び体温測定データのみを抽出したうえで、時系列に配列することも可能である。なお、ゆらぎ度を昇順、降順、頻度順、日付毎等、任意に選択して配列することも可能である。
【００２６】
２２６はユーザ入力処理部であり、表示／操作部２０５を介して入力された設定データを受信する。２２７は体温入力処理部であり、アンプ２０９より出力された体温測定データを受信する。
【００２７】
２２８は判定処理部であり、算出されたゆらぎ度と受信された体温測定データとに基づいて、被測定者の状態を判定する。
【００２８】
３．装置における画面構成
図３は、表示／操作部２０５の画面例を示す図である（なお、画面は液晶画面のほか、視認性の高い有機ＥＬなどを用いても良い）。３０１はデータ表示部であり、表示処理部２２３が各種データを表示する。図３の例では、ローレンツプロットを表示するための画面が図示されており、横軸および縦軸の単位はｍｓｅｃである。３０９、３１０はそれぞれデータ表示部３０１をスクロールするためのスクロールバーである。２０５ａは、カーソル、スクロールバーを任意に移動させるための十字キーである。
【００２９】
３０２は測定ボタンであり、被測定者は測定ボタン３０２を押下することにより、測定を開始する。
【００３０】
３０３は再生ボタンであり、データ記録部２０８に記録された過去のローレンツプロットデータを読み出し、データ表示部３０１に表示する。３０４は削除ボタンであり、データ記録部２０８に記録された過去のローレンツプロットデータ、ゆらぎ度、目標達成度および設定データ、体温測定データ等を削除する。
【００３１】
３０５はトレンド表示ボタンであり、データ表示部３０１上にゆらぎ度のトレンドグラフを表示する。３０６はトレンド表示終了ボタンであり、データ表示部３０１上のトレンドグラフの表示を終了し、ローレンツプロットの表示に戻す。
【００３２】
３０７、３０８はそれぞれ縮小ボタンおよび拡大ボタンであり、データ表示部３０１上に表示されるローレンツプロットやトレンドグラフ等を縮小または拡大する。
【００３３】
４．装置における処理の流れ（全体）
図４は、本発明の第１の実施形態にかかる心拍ゆらぎ検出装置における全体処理の流れを示すフローチャートである。ステップＳ４０１において装置の電源が投入されると、ステップＳ４０２では、表示／操作部２０５に初期画面（例えば、図３に示す画面）が表示される。
【００３４】
ステップＳ４０３では、被測定者によりどのような操作が行われたのかを判定する。被測定者により測定ボタン３０２が押下されたと判定された場合には、ステップＳ４０４に進み、測定処理を実行する（測定処理の詳細は、後述）。また、被測定者により再生ボタン３０３または削除ボタン３０４が押下されたと判定された場合には、ステップＳ４０７に進み、ローレンツプロットデータ再生／削除処理を実行する（ローレンツプロットデータ再生／削除処理の詳細は、後述）。更に、被測定者によりトレンド表示ボタン３０５が押下されたと判定された場合には、ステップＳ４０８に進み、トレンド表示処理を実行する（トレンド表示処理の詳細は、後述）。
【００３５】
ステップＳ４０４における測定処理が終了すると、ステップＳ４０５に進み、算出されたローレンツプロットデータ等をデータ記録部２０８に保存するか否かを判定する。被測定者より保存指示が入力された場合には、ステップＳ４０６に進み、ローレンツプロットデータ等の保存処理を行う。
【００３６】
ステップＳ４０５において保存指示が入力されなかったと判定された場合、またはステップＳ４０６においてローレンツプロットデータ等の保存処理が終了した場合、または、ステップＳ４０７においてローレンツプロットデータ再生／削除処理が終了した場合、またはステップＳ４０８においてトレンド表示処理が終了した場合には、ステップＳ４０９に進む。
【００３７】
ステップＳ４０９では、電源ＯＦＦ操作がなされたか否かを判定し、電源ＯＦＦ操作がなされていなければ、ステップＳ４０３に戻り、上記処理を繰り返す。
【００３８】
一方、ステップＳ４０９において電源ＯＦＦ操作がなされた場合には、処理を終了する。
【００３９】
５．測定処理（ステップＳ４０４）の詳細
図５〜図９を用いて、測定処理（ステップＳ４０４）の詳細について説明する。図５Ａは、測定処理（ステップＳ４０４）の流れを示すフローチャートである。
【００４０】
測定ボタン３０２が押下され測定処理が起動すると、ステップＳ５０１では、データ表示部３０１に設定データ入力画面を表示し、設定データが入力されたか否かを判定する。
【００４１】
例えば、図６はデータ表示部３０１に設定データ入力画面６０１が表示された様子を示す図である。同図に示すように、本実施形態の場合、例えば、測定に際してはデフォルトされた項目（ここでは６０２〜６０６の５項目）について被測定者が設定データを入力する構成となっている。
【００４２】
６０２は被測定者の年齢を選択する項目である（被測定者の年齢が選択されることで、該年齢に対応する平均的なローレンツプロットの分布領域を呼び出すことができる）。６０３は被測定者の現在の状況を選択する項目である。６０４および６０５は被測定者の主観に基づく被測定者自身の自覚症状についての情報を入力する項目である。具体的には、６０４は被測定者の現在の精神状態に関する情報を入力する項目である。６０５は被測定者の現在の体調（肉体的状態）に関する情報を入力する項目である。６０６は、被測定者が現在服薬している薬に関する情報を入力する項目である。
【００４３】
６０７は設定ボタンであり、当該設定ボタン６０７が押下されると、設定項目６０２から６０６の設定データが設定されたのち、設定データ入力画面６０１を閉じる。６０８はキャンセルボタンであり、当該キャンセルボタン６０８が押下されると設定項目６０２から６０６の設定データを設定することなく、設定データ入力画面６０１が閉じられる。設定ボタン６０７が押下されると、ステップＳ５０１において設定データが入力されたと判断し、ステップＳ５０２に進む。一方、キャンセルボタン６０８が押下されると処理を終了する。
【００４４】
ステップＳ５０２では、閾値ａ、ｂを設定する。なお、閾値ａ、ｂの設定処理の詳細な流れは後述する。
【００４５】
ステップＳ５０２での処理が終わると、図７に示すように測定開始指示入力画面７０１が表示され、測定を開始するか否かを判定する。
【００４６】
開始ボタン７０２が押下された場合には、測定開始指示入力画面７０１を閉じ、測定（心拍、体温）を開始する（ステップＳ５０３において“Ｙｅｓ”）。一方、キャンセルボタン７０３が押下された場合には、測定開始指示入力画面７０１を閉じ、処理を終了する（ステップＳ５０３において“Ｎｏ”）。
【００４７】
ステップＳ５０３において測定が開始されると、ステップＳ５０４では、設定データ等の表示を行う。図８は、測定が開始された後のデータ表示部３０１の一例を示す図である。
【００４８】
同図において、８０１は心拍検出マークであり、心拍検出処理部２１１において受信された心拍測定データのＲ波に合わせて点滅する。８０２は心拍数表示欄（１分間あたりの心拍の数を表示する欄）である。８０３は、データ表示部３０１が現在拡大表示されているのか、標準の大きさで表示されているのか、縮小表示されているのかを表示する欄である。８０４は現在の日時を表示する欄である。更に、８０７の目標設定欄には設定データ入力画面６０１において被測定者が選択した被測定者の年齢または年齢と性別が表示される（ただし、年齢、性別は表示されなくても良い）。８０５は選択された被測定者の年齢に対応する平均的なローレンツプロットの分布領域を示したものである。
【００４９】
ステップＳ５０５では、心拍検出処理部２２１が心拍測定データを受信する。また体温入力処理部２２７が体温測定データを受信する。
【００５０】
ステップＳ５０６では、心拍検出処理部２１１で受信した心拍測定データに基づいて、心拍検出マーク８０１を点滅させるとともに、心拍数表示欄８０２に、心拍数をリアルタイム表示する。
【００５１】
ステップＳ５０７では、ローレンツプロットを行う。図８の８０６はローレンツプロットの一例である。ステップＳ５０８では、測定が開始されてから所定時間経過したか否かを判定する。所定時間経過していなければ、ステップＳ５０５に戻る。一方、所定時間経過していれば、ステップＳ５０９に進む。なお、所定時間経過するまでの経過を、データ表示部３０１の任意の位置に表示（セグメント表示などで、カウントダウン表示またはカウントアップ表示）したり、ペット、子供、風景、キャラクタなどを任意に選択して順次画像等を完成させるような画面表示としてもよい。また、所定時間経過するまでにローレンツプロットを順に表示するが、所定時間経過後、全てのローレンツプロットを同時に表示するようにしても良い。
【００５２】
ステップＳ５０９では、今回測定時の全てのローレンツプロットデータに基づいて、目標達成度及びゆらぎ度を算出し、表示する。好ましくは、更にステップＳ５１０では、ローレンツプロットデータの分布領域を示す線を表示する。こうして被測定者に関する情報（年齢、性別）に対応する平均的なローレンツプロットの分布領域の大きさと容易に比較することができる。
【００５３】
ステップＳ５１１では、体温測定データをデータ表示部３０１に表示する。更に、ステップＳ５１２では、ステップＳ５０９にて算出されたゆらぎ度と、ステップＳ５０５にて受信された体温測定データとに基づいて、被測定者の状態を判定する（なお、判定処理の詳細は後述）。また、判定した被測定者の状態に対応するメッセージをデータ表示部３０１に表示する。
【００５４】
図９は、ローレンツプロットデータの分布領域を示す線９０１と、目標達成度９０２、ゆらぎ度９０３、体温９０４、メッセージ９０５が表示された様子を示す図である。
【００５５】
５．１  閾値ａ、ｂ設定処理（ステップＳ５０２）の詳細
上記閾値ａ、ｂ設定処理（ステップＳ５０２）の詳細について図５Ｂを用いて説明する。ステップＳ５２１では、すでに測定されデータ記録部２１０に記録済みの過去のゆらぎ度を全て読み出す。ステップＳ５２２では、ステップＳ５２１にて読み出された過去のゆらぎ度の平均値Ａｖｇを算出する。ステップＳ５２３では、算出されたＡｖｇをゆらぎ度の閾値ａに設定する。
【００５６】
ステップＳ５２４では、データ記録部２１０に予め記録されている体温の閾値（理想体温の下限値）を読み出す。ステップＳ５２５では、読み出された値を体温の閾値ｂに設定する。
【００５７】
このように、本実施形態では、ゆらぎ度の閾値は被測定者の過去の測定結果に基づいて設定する。また体温の閾値は、予め定められた値を用いる。
【００５８】
５．２  判定処理（ステップＳ５１２）の詳細
次に判定処理（ステップＳ５１２）の詳細について図５Ｃを用いて説明する。ステップＳ５３１では、算出されたゆらぎ度が閾値ａ以上であるか否かを判定する。算出されたゆらぎ度が閾値ａ以上であると判定された場合には、ステップＳ５３２に進み、測定された体温が、閾値ｂ以上であるか否かを判定する。測定された体温が閾値ｂ以上であると判定された場合には、ステップＳ５３３に進む。
【００５９】
ここで、ゆらぎ度が閾値ａ以上であるということは、副交感神経が優位な状態にあり、身体としてはリラックスした状態にあるといえる。更に、体温が閾値ｂ以上であるということは理想体温にあるといえる。したがって、ステップＳ５３３では、現在の被測定者は、“ほどよいリラックス状態にあり、バランスのとれた状態にある”と判定する。
【００６０】
一方、ステップＳ５３２において、体温が閾値ｂより低いと判定された場合には、ステップＳ５３４に進む。
【００６１】
ここで、ゆらぎ度が閾値ａ以上であるということは、副交感神経が優位な状態にあり、身体としてはリラックスした状態にあるといえる。一方、体温が閾値ｂより低いということは、被測定者は低体温化傾向にあるといえる。したがって、ステップＳ５３４では、現在の被測定者は、“リラックス状態が継続し、生命活動自体も低下し、体温の低下を招いている傾向にある”と判定する。なお、このような状態は、被測定者にとって望ましい状態とはいえず、被測定者は適度な運動を取り入れるなどして、健康を維持するようにしたほうがよいといえる。
【００６２】
一方、ステップＳ５３１において、ゆらぎ度が閾値ａより小さいと判定された場合には、ステップＳ５３５に進み、測定された体温が、閾値ｂ以上であるか否かを判定する。測定された体温が閾値ｂ以上であると判定された場合には、ステップＳ５３６に進む。
【００６３】
ここで、ゆらぎ度が閾値ａより小さいということは、交感神経が優位な状態にあり、身体としては緊張した状態にあるといえる。一方、体温が閾値ｂ以上であるということは理想体温にあるといえる。したがって、ステップＳ５３６では、現在の被測定者は、“ほどよい緊張状態にあり、バランスのとれた状態にある”と判定する。
【００６４】
一方、ステップＳ５３５において、体温が閾値ｂより低いと判定された場合には、ステップＳ５３７に進む。
【００６５】
ここで、ゆらぎ度が閾値ａより小さいということは、交感神経が優位な状態にあり、身体としては緊張した状態にあるといえる。更に、体温が閾値ｂより低いということは、被測定者は低体温化傾向にあるといえる。したがって、ステップＳ５３７では、現在の被測定者は、“緊張状態の継続により、血流低下をまねき体温の低下を招いている傾向にある”と判定する。
【００６６】
ステップＳ５３８では、ステップＳ５３３または５３４または５３６または５３７での判定結果をデータ表示部３０１に表示する。
【００６７】
このように本実施形態にかかる心拍ゆらぎ検出装置では、拍動のゆらぎのみならず、体温を考慮することで、リラックス状態か緊張状態かを判定するのみならず、リラックス状態が適度に継続しているのか、継続しすぎているのか、あるいは緊張状態が適度に継続しているのか、継続しすぎているのかといった“ゆらぎ状態の継続状況”をも判定することができる。この結果、被測定者の健康状態を総合的に判断することが可能となる。
【００６８】
６．プロットデータ保存処理（ステップＳ４０６）の詳細
図１０〜図１２を用いてプロットデータ保存処理（ステップＳ４０６）の詳細について説明する。測定が完了し、分布領域を示す線９０１と、目標達成度９０２、ゆらぎ度９０３、体温９０４、メッセージ９０５が表示されると、図１１に示すように、データ表示部３０１には、測定結果保存入力画面１１０１が表示される。測定結果保存入力画面１１０１には、保存ボタン１１０２とキャンセルボタン１１０３とが含まれる。保存ボタン１１０２は、被測定者が今回測定した測定結果の保存を指示するためのボタンである。キャンセルボタン１１０３は、今回測定した測定結果を保存しない旨の指示を入力するためのボタンである。
【００６９】
図１１において、保存ボタン１１０２が押下されると、図１０のステップＳ１００１では、今回測定時に設定された各種設定データをデータ記録部２０８に記録する。更に、ステップＳ１００２では、該設定データに対応付けて算出データ（ローレンツプロットデータ、分布領域を示す線９０１、目標達成度９０２、ゆらぎ度９０３）ならびに体温測定データ（体温９０４）をデータ記録部２０８に記録する。なお、このとき、測定完了時の日時もあわせて記録する。
【００７０】
図１２は、プロットデータ保存処理によりデータ記録部２０８に記録された各種データ（日時、設定データ、算出データ、体温測定データ）の一例を示す図である。
【００７１】
同図において、１２０１はデータ番号であり、保存するデータごとに、保存する順序に従って昇順に付される。
【００７２】
１２０２は測定完了の日時である。１２０３−１から１２０７は、測定の際に被測定者が入力した設定データであり、１２０８から１２１１は算出データである。具体的には、１２０８はローレンツプロットデータであり、１２０９は分布領域を示す線データであり、１２１０は目標達成度であり、１２１１はゆらぎ度である。１２１２は体温測定データである。
【００７３】
７．ローレンツプロットデータ再生／削除処理（ステップＳ４０７）の詳細
図１３〜図１５を用いてローレンツプロットデータ再生／削除処理（ステップＳ４０７）の詳細について説明する。再生ボタン３０３または削除ボタン３０４が押下されると、図１３のステップＳ１３０１では、再生ボタン３０３または削除ボタン３０４のいずれのボタンが押下されたかを判断する。
【００７４】
ステップＳ１３０１において再生ボタン３０３が押下されたと判断された場合には、ステップＳ１３０２に進み、データ記録部２０８に記録されているデータ一覧をデータ表示部３０１に表示する。図１４の１４０１は、データ一覧を表示した様子を示している。被測定者は、データ一覧１４０１に記載されたデータ番号のうちのいずれかを選択して、再生ボタン１４０２を押下する。
【００７５】
ステップＳ１３０３では、被測定者により選択されたデータ番号に基づいて、ローレンツプロットデータの再生処理に必要なデータ（設定データ（年齢）、算出データ（ローレンツプロットデータ１２０８、分布領域を示す線データ１２０９、目標達成度１２１０、ゆらぎ度１２１１）、体温測定データ１２１２）を読み出す。
【００７６】
ステップＳ１３０４では、ステップＳ１３０３において読み出されたデータを、データ表示部３０１に表示する。このとき、設定データ（年齢）に対応する平均的なローレンツプロットの分布領域を呼び出し、合わせて表示する。
【００７７】
なお、データ一覧１４０１が表示された際に、被測定者がキャンセルボタン１４０３を押下した場合には、データ表示部３０１は、再生ボタン３０３が押下される前の表示に戻る。
【００７８】
一方、ステップＳ１３０１において、削除ボタン３０４が押下されたと判断された場合には、ステップＳ１３０５に進み、データ記録部２０８に記録されているデータ一覧をデータ表示部３０１に表示する。図１５の１５０１は、データ一覧を表示した様子を示している。被測定者は、データ一覧１５０１に記載されたデータ番号のうちのいずれかを選択して、削除ボタン１５０２を押下する。
【００７９】
ステップＳ１３０６では、被測定者により選択されたデータ番号のデータをデータ記録部２０８から削除する。続けて、被測定者が他のデータ番号を選択して、削除ボタン１５０２を押下すると、当該データ番号のデータは、データ記録部２０８から削除される。つまり、キャンセルボタン１５０３が押下されるまでは、連続的にデータを削除することができる。
【００８０】
キャンセルボタン１５０３が押下されると、ステップＳ１３０７では、削除ボタン３０３が押下される直前の表示に戻る。
【００８１】
８．トレンド表示処理（ステップＳ４０８）の詳細
図１６〜図１８を用いてトレンド表示処理（ステップＳ４０８）の詳細について説明する。
【００８２】
トレンド表示ボタン３０５が押下されると、図１７に示すトレンド表示方法選択画面１７００をデータ表示部３０１に表示する。
【００８３】
ステップＳ１６０１では、トレンド表示方法選択画面１７００において、被測定者が選択するトレンド表示方法を受け付ける。ステップＳ１６０２では、トレンド表示方法選択画面１７００において、「全データを時系列で表示」（１７０１）が選択されたか否かを判定する。
【００８４】
ステップＳ１６０２において、「全データを時系列で表示」（１７０１）が選択されたと判定された場合には、ステップＳ１６０３に進み、データ記録部２０８に記録された全てのゆらぎ度及び体温測定データを抽出する。ステップＳ１６０４では、ステップＳ１６０３にて抽出されたゆらぎ度及び体温測定データを時系列にソートし、トレンドグラフとして表示する。
【００８５】
ステップＳ１６０２において、「全データを時系列で表示」（１７０１）が選択されなかったと判定された場合（つまり、「特定のデータを抽出して表示」（１７０２）が選択されたと判定された場合）には、ステップＳ１６０５に進む。
【００８６】
例えば、「特定のデータを抽出して表示」（１７０２）を選択した場合、被測定者は、例えば「特定のシチュエーション」（１７０３）、「特性の精神状態」（１７０４）、「特定の体調」（１７０５）、「特定の薬」（１７０６）のいずれか１つまたは複数を選択する。
【００８７】
なお、複数選択した場合には、それらの項目がすべて設定されたデータ番号のゆらぎ度及び体温測定データが抽出されることとなる。
【００８８】
そこで、ステップＳ１６０５では、当該選択された設定データが記憶されたデータ番号に対応するゆらぎ度及び体温測定データをデータ記録部２０８より抽出する。ステップＳ１６０６では、当該抽出されたゆらぎ度及び体温測定データを時系列または昇順、降順ででソートし、ステップＳ１６０７では、トレンドグラフとして表示する。
【００８９】
図１８は、データ表示部３０１に表示されたトレンドグラフ（１８００はゆらぎ度のトレンドグラフ、１８０４は体温のトレンドグラフ）の一例を示す図である。横軸は例えば日時を示し、縦軸はゆらぎ度（％）または体温（℃）を示している。１８０１は、データ表示部３０１に表示されたゆらぎ度のトレンドグラフのうち最大値を、１８０２は、データ表示部３０１に表示されたゆらぎ度のトレンドグラフのうち最小値を、１８０３は、データ表示部３０１に表示されたゆらぎ度のトレンドグラフの平均値を、それぞれ示している。なお、横軸をシミュレーション、縦軸をゆらぎ度として表示しても良い。
【００９０】
図１６に戻る。ステップＳ１６０８では、表示されたトレンドグラフの特定箇所が被測定者により指定されたか否かを判定する。被測定者により指定されたと判定された場合には、ステップＳ１６０９に進み、当該指定されたゆらぎ度または体温に対応する設定データを読み出し、ステップＳ１６１０にて、当該読み出された設定データを吹き出し表示する。
【００９１】
図１９は、データ表示部３０１に表示されたトレンドグラフの特定箇所が指定された様子を示す図である。同図に示すように、十字キー２０５ａでカーソル１９００を特定箇所に移すと、例えば、吹き出し（コメント等）が表示され（１９０１、１９０２）、当該特定箇所におけるゆらぎ度または体温に対応する設定データが表示される。
【００９２】
図１６に戻る。ステップＳ１６１１では、トレンド表示終了ボタン３０６が押下されたか否かを判定する。トレンド表示終了ボタン３０６が押下されたと判定された場合には、トレンド表示を終了し、ステップＳ１６０１においてトレンド表示方法選択画面１７００が表示される前の表示画面に戻る。
【００９３】
一方、ステップＳ１６１１において、トレンド表示終了ボタン３０６が押下されていないと判定された場合には、ステップＳ１６０８に戻る。
【００９４】
以上の説明から明らかなように、本実施形態では、心拍とあわせて体温を測定し、拍動のゆらぎと体温とに基づいて、被測定者の健康状態を判定することとした。
【００９５】
つまり、拍動のゆらぎと体温とを考慮することで、リラックス状態か緊張状態かを判定するのみならず、リラックス状態が適度に継続しているのか、継続しすぎているのか、あるいは緊張状態が適度に継続しているのか、継続しすぎているのかといった状態の継続状況をも判定することが可能となった。この結果、被測定者の健康状態を総合的に判断することができるようになった。
【００９６】
［第２の実施形態］
上記第１の実施形態では、閾値ａは、過去のゆらぎ度に基づいて自動的に算出することとし、閾値ｂは、予め決められた値を設定することとしたが、本発明は特にこれに限られない。例えば、閾値ａ、ｂを被測定者が任意に設定できるように構成してもよい。
【００９７】
図２０は、本実施形態における閾値ａ、ｂの設定処理（ステップＳ５０２）の詳細を示す図であり、図２１は、閾値ａ、ｂの設定処理（ステップＳ５０２）が開始された際に、データ表示部３０１に表示される閾値入力画面２１０１を示す図である。
【００９８】
被測定者は、閾値入力画面２１０１のゆらぎ度の閾値を入力する欄（２１０２）において、適切な閾値を入力する。また、体温の閾値を入力する欄（２１０３）において、適切な閾値を入力する。入力が完了すると設定ボタン２１０４を押下する。
【００９９】
被測定者が設定ボタン２１０４を押下すると、図２０のステップＳ２００１において、閾値が入力されたと判定し、ステップＳ２００２に進む。ステップＳ２００２では、入力された閾値をそれぞれａ、ｂに設定する。
【０１００】
一方、被測定者がキャンセルボタン２１０５を押下すると、図２０のステップＳ２００１において、閾値が入力されなかったと判定し、処理を終了する。
【０１０１】
以上の説明から明らかなように、本実施形態によれば、ゆらぎ度の閾値ａおよび体温の閾値ｂを被測定者が任意に設定することが可能となる。
【０１０２】
［第３の実施形態］
上記第１の実施形態では、ゆらぎ度と体温とに基づいて、被測定者の健康状態（現状の健康状態の傾向）をメッセージとしてデータ表示部３０１に表示することとしたが、本発明は特にこれに限られない。例えば、現状の健康状態の傾向に対応して、被測定者に生活習慣のアドバイスを表示するようにしてもよい。
【０１０３】
例えば、図５のステップＳ５０３において、“ほどよいリラックス状態にあり、バランスのとれた状態にある”と判定された場合には、リラックス状態によりすぎないための生活習慣アドバイスを表示するようにしてもよい。
【０１０４】
また、図５のステップＳ５０４において、“リラックス状態が継続し、生命活動自体が低下し、体温の低下を招いている傾向にある”と判定された場合には、適度な運動を取り入れる旨のアドバイスを表示するようにしてもよい。あるいは、具体的な運動プログラムを提供するようにしてもよい。
【０１０５】
また、図５のステップＳ５０６において、“ほどよい緊張状態にあり、バランスのとれた状態にある”と判定された場合には、緊張状態が続きすぎないための生活習慣アドバイスを表示するようにしてもよい。
【０１０６】
更に、図５のステップＳ５０７において、“緊張状態の継続により、血流低下を招き体温の低下を招いている傾向にある”と判定された場合には、緊張状態を解く呼吸トレーニング法のアドバイスを表示したり、血流改善を促すアドバイスを表示したりしてもよい。
【０１０７】
このようなアドバイスを表示することにより、被測定者が自身の現状の健康状態の傾向を把握することができるだけでなく、今後何をしなければならないかを知ることができるようになり、健康管理を進めていくうえで、被測定者にとって有意義となる。
【図面の簡単な説明】
【０１０８】
【図１】本発明の第１の実施形態にかかる心拍ゆらぎ検出装置の外観構成を示す図である。
【図２】本発明の第１の実施形態にかかる心拍ゆらぎ検出装置の機能構成を示す図である。
【図３】表示／操作部２０５の画面例を示す図である。
【図４】本発明の第１の実施形態にかかる心拍ゆらぎ検出装置における処理の流れを示すフローチャートである。
【図５Ａ】測定処理（ステップＳ４０３）の処理の流れを示すフローチャートである。
【図５Ｂ】閾値設定処理（ステップＳ５０２）の処理の流れを示すフローチャートである。
【図５Ｃ】判定処理（ステップＳ５１２）の処理の流れを示すフローチャートである。
【図６】設定データ入力画面６０１が表示された様子を示す図である。
【図７】測定開始指示入力画面７０１が表示された様子を示す図である。
【図８】測定が開始された後のデータ表示部３０１の一例を示す図である。
【図９】ローレンツプロットデータのゆらぎ度を示す線９０１と、目標達成度９０２、ゆらぎ度９０３、体温９０４が表示された様子を示す図である。
【図１０】プロットデータ保存処理（ステップＳ４０６）の処理の流れを示すフローチャートである。
【図１１】測定結果保存入力画面１１０１が表示された様子を示す図である。
【図１２】プロットデータ保存処理によりデータ記録部２０８に記録された各種データを示す図である。
【図１３】プロットデータ再生／削除処理（ステップＳ４０７）の処理の流れを示すフローチャートである。
【図１４】データ一覧を表示した様子を示す図である。
【図１５】データ一覧を表示した様子を示す図である。
【図１６】トレンド表示処理（ステップＳ４０８）の処理の流れを示すフローチャートである。
【図１７】トレンド表示方法選択画面の一例を示す図である。
【図１８】データ表示部３０１に表示されたトレンドグラフの一例を示す図である。
【図１９】データ表示部に表示されたトレンドグラフの特定箇所が指定された様子を示す図である。
【図２０】閾値設定処理（ステップＳ５０２）の処理の流れを示すフローチャートである。
【図２１】閾値入力画面の一例を示す図である。
【図２２】心電波形に基づくローレンツプロット方法を説明するための図である。
【図２３】心電波形に基づくローレンツプロット方法を説明するための図である。
【図２４】ローレンツプロットの一例を示す図である。
【図１】
2008067858.tif 000003
【図２】
2008067858.tif 000004
【図３】
2008067858.tif 000005
【図４】
2008067858.tif 000006
【図５Ａ】
2008067858.tif 000007
【図５Ｂ】
2008067858.tif 000008
【図５Ｃ】
2008067858.tif 000009
【図６】
2008067858.tif 000010
【図７】
2008067858.tif 000011
【図８】
2008067858.tif 000012
【図９】
2008067858.tif 000013
【図１０】
2008067858.tif 000014
【図１１】
2008067858.tif 000015
【図１２】
2008067858.tif 000016
【図１３】
2008067858.tif 000017
【図１４】
2008067858.tif 000018
【図１５】
2008067858.tif 000019
【図１６】
2008067858.tif 000020
【図１７】
2008067858.tif 000021
【図１８】
2008067858.tif 000022
【図１９】
2008067858.tif 000023
【図２０】
2008067858.tif 000024
【図２１】
2008067858.tif 000025
【図２２】
2008067858.tif 000026
【図２３】
2008067858.tif 000027
【図２４】
2008067858.tif 000028